(57)【要約】      （修正有）【課題】太陽光パネルの角度を手動で調整することを可能とする角度可変式の太陽光パネル設置用架台を提供する。【解決手段】太陽光パネル設置用架台１は、地表面に対して鉛直に立設する２本以上の支柱５と、支柱の上端部に掛け渡される回転軸管４と、支柱の上端部に取り付けられ、回転軸管の端部を収容する回転軸受６と、太陽光パネル２を裏面側から支持し、回転軸管によって下側から支持されるフレーム材３とを備える。回転軸管４の両端部に設けられ回転軸管を短手方向に貫く貫通孔と、回転軸受６に設けられた貫通孔とが同一直線上に配置されたときに形成される貫通部に、角度調整用のピンを差し込むことで回転軸管が支柱に固定される。【選択図】図１
0003190421.tif 000002
【実用新案登録請求の範囲】
【請求項１】
地表面に対して鉛直に立設する２本以上の支柱と、
前記支柱の上端部に掛け渡される回転軸管と、
前記支柱の上端部に取り付けられ、前記回転軸管の端部を収容する回転軸受と、
太陽光パネルを裏面側から支持し、前記回転軸管によって下側から支持されるフレーム材とを備え、
前記回転軸管の両端部に設けられた該回転軸管を短手方向に貫く１個以上の貫通孔のいずれか１の貫通孔と、前記回転軸受に設けられた２個以上の貫通孔のいずれか１の貫通孔とが同一直線上に配置されたときに形成される貫通部にピンを差し込むことで前記回転軸管が前記支柱に固定されることを特徴とする太陽光パネル設置用架台。
【請求項２】
前記フレーム材は、前記回転軸管と直交する複数本の縦材からなり、
各縦材の長手方向の中央部において締結具を用いて前記回転軸管と固定されることを特徴とする請求項１に記載の太陽光パネル設置用架台。
【請求項３】
前記回転軸受は、断面が半円状の２個の軸受金具を接合して形成された円筒状であり、
各軸受金具は、長手方向の対称軸に対して互いに対称な２個の貫通孔が設けられ、これらの貫通孔の中心線同士が前記回転軸受の長手方向の中心線と交わり、かつ前記中心線同士が予め設定した角度をなすことを特徴とする請求項１または２のいずれかに記載の太陽光パネル設置用架台。
【請求項４】
前記回転軸受を構成する各軸受金具は、長手方向の両サイドの両端部に舌片部を有し、各舌片部にネジ孔が設けられているとともに、
前記回転軸受を構成する下側の軸受金具は、前記支柱の上端部に熔接で固着され、
下側の軸受金具に前記回転軸管が載置された上から上側の軸受金具を被せ、重なり合った前記舌片部のネジ孔でネジ止めすることにより上側の軸受金具と下側の軸受金具とが連結することを特徴とする請求項３に記載の太陽光パネル設置用架台。
【考案の詳細な説明】
【技術分野】
【０００１】
太陽光パネルの傾斜角度を、設置後も手動で容易に変更することができる角度可変式の太陽光パネル設置用架台に関する。
【背景技術】
【０００２】
近年、二酸化炭素を排出しないエネルギーへの注目度が高まる一方である。とりわけ、このようなエネルギーの代表格である太陽光発電への期待は大きい。
太陽光発電では、太陽光を効率よく受光することがきわめて重要であり、季節とともに変化する太陽高度にあわせて太陽光パネルを適切な角度に傾斜させることが望ましい。地表やビル屋上などの平坦な箇所に太陽光パネルを設置する場合、太陽光パネルを所定の角度に傾斜させて設置するためには専用の架台が使用されるので、太陽光パネルの傾斜角度の調整を迅速、簡便、確実に行えるか否かは架台の構造に依存するところ大である。そのため、太陽光パネル専用の架台に関する技術が多数特許出願或は実用新案登録出願されている。
【０００３】
例えば、実用新案登録第３０２６８７６号公報（特許文献１）には、傾斜立設してなる脚柱の上部に太陽光パネルを軸止して回動自在とし、太陽光パネルの背面に駆動機構を設けて、太陽光パネルを所望の角度に変更することができる「太陽電池パネルの支持架台」が開示されている。
実用新案登録第３１８１７７８号公報（特許文献２）には、太陽光パネルを保持する梁枠構造を支持する支柱を、Ｈ形鋼又は鋼矢板で構成し、太陽光パネルの傾斜角度を調整する機能を持つ接続金物で、支柱と梁枠構造を接続する「太陽光発電パネル支持架台」が開示されている。
特開２０１３−１８５３９３号公報（特許文献３）には、太陽光パネルを裏面側から支持する複数の縦材と、この縦材を下側から支持する横材と、この横材を支持するジョイント部材と、このジョイント部材が先端に取り付けられた設置脚部と、横材と縦材とを連結する連結部材とを具備しており、縦材の下面には横材が嵌まり込む凹部が形成された「太陽電池パネル取付架台」が開示されている。
【先行技術文献】
【特許文献】
【０００４】
【特許文献１】実用新案登録第３０２６８７６号公報
【特許文献２】実用新案登録第３１８１７７８号公報
【特許文献３】特開２０１３−１８５３９３号公報
【考案の概要】
【考案が解決しようとする課題】
【０００５】
特許文献１に記載の「太陽電池パネルの支持架台」は、太陽光パネルを回動可能としたことにより、太陽の高度に合わせて太陽光パネルの傾斜を変えることができ、かつ積雪地において太陽光パネル上に積もった雪を落下させることができる。しかしながら、太陽光パネルを回動させる駆動機構としてモータを備えたスクリュージャッキを採用している。そのため、設備コストがかさむとともに、部品点数が多いことから現場での設置に手間がかかる。
特許文献２に記載の「太陽光発電パネル支持架台」は、太陽光パネルの傾斜角度の調整には、支柱と梁枠構造とを接続する接続金物を利用して実現している。そのため、構造が簡単で、組立作業が簡略で、施工性もよい。しかしながら、支柱と太陽光パネルの梁枠とを接続する接続金物を構成する接合金具は熔接で固着される。これでは、地表に架台を設置し太陽光パネルを取り付けた後は、季節による太陽高度などにあわせて太陽光パネルの傾斜角度を簡単に変更することはできない。
特許文献３に記載の「太陽電池パネル取付架台」は、太陽光パネルを支持する架台の構造が簡単であり、設置脚部の長さを変更するだけで太陽光パネルの角度を変更できる。しかしながら、太陽光パネルの角度を変更するためには設置脚部の長さを変更しなくてはならない。つまり、地表の傾きなどを考慮して異なる長さの設置脚部を適当な本数だけ用意する必要がある。しかも、いったん設置脚部を含む架台を設置したならば、季節によって異なる太陽高度にあわせて太陽光パネルの傾斜を変更させることができない。
【０００６】
本考案は、上記の既存技術の問題点に鑑み、次のような特徴を備えた太陽光パネル設置用架台を提供することを課題とする。すなわち、設置後であっても季節により変化する太陽の高度にあわせて簡単に太陽光パネルの傾斜角度を変更できること、その変更も専用の駆動機構を用いたりせずに手動で変更できること、手動の作業は極めて簡便であり熟練した技能を必要としないこと、架台の構造が簡単で部品点数が少なくコストを抑えることができること等である。
【課題を解決するための手段】
【０００７】
上記の目的を実現するために、請求項１に記載の太陽光パネル設置用架台は、
地表面に対して鉛直に立設する２本以上の支柱と、前記支柱の上端部に掛け渡される回転軸管と、前記支柱の上端部に取り付けられ、前記回転軸管の端部を収容する回転軸受と、太陽光パネルを裏面側から支持し、前記回転軸管によって下側から支持されるフレーム材とを備え、
前記回転軸管の両端部に設けられた該回転軸管を短手方向に貫く１個以上の貫通孔のいずれか１の貫通孔と、前記回転軸受に設けられた２個以上の貫通孔のいずれか１の貫通孔とが同一直線上に配置されたときに形成される貫通部（下記の実施形態では、「角度調整ピン貫通部」が相当）にピン（下記の実施形態では、「角度調整ピン」が相当）を差し込むことで前記回転軸管が前記支柱に固定されることを特徴とする。
このように、太陽光パネルを支持する回転軸管（パイプ）と支柱とは、回転軸受を介してピン止めによって固定される。したがって、ピンを挿通する箇所を変更することによって太陽光パネルの傾斜角度を変更することができる。
本考案は、地表に設置するタイプの太陽光発電設備を想定している。しかし、ビルの平坦な屋上などに設置する場合にも適用できる。
【０００８】
上記の目的を実現するために、請求項２に係る考案は、請求項１に記載の太陽光パネル設置用架台であって、
前記フレーム材は、前記回転軸管と直交する複数本の縦材からなり、各縦材の長手方向の中央部において締結具（例えば、ボルト）を用いて前記回転軸管と固定されることを特徴とする。
【０００９】
上記の目的を実現するために、請求項３に係る考案は、請求項１または２のいずれかに記載の太陽光パネル設置用架台であって、
前記回転軸受は、断面が半円状の２個の軸受金具を接合して形成された円筒状であり、
各軸受金具は、長手方向の対称軸に対して互いに対称な２個の貫通孔が設けられ、これらの貫通孔の中心線同士が前記回転軸受の長手方向の中心線と交わり（つまり、貫通孔の中心線の交点は、回転軸受の円形断面の中心と一致する）、かつ前記中心線同士が予め設定した角度をなすことを特徴とする。
【００１０】
上記の目的を実現するために、請求項４に係る考案は、請求項３に記載の太陽光パネル設置用架台であって、
前記回転軸受の各軸受金具は、長手方向の両サイドの両端部に舌片部を有し、各舌片部にネジ孔が設けられているとともに、
前記回転軸受を構成する下側の軸受金具は、前記支柱の上端部に熔接で固着され、
下側の軸受金具に前記回転軸管が載置された上から上側の軸受金具を被せ、重なり合った前記舌片部のネジ孔でネジ止めすることにより上側の軸受金具と下側の軸受金具とが接合することを特徴とする。
このように、回転軸受を構成し、回転軸管を下側から支える部分が支柱に予め固着されているので、現場での組立て作業の迅速化が図れる。
【考案の効果】
【００１１】
回転軸管を、地表に立設させた支柱上端部の受け部材を介してピン止めによって連結するが、ピン止めする箇所を変更するだけで、手動で太陽光パネルの傾きを変更できるので特別な器具を必要としない。ピン止めの位置を付け替えるだけなので、アルバイトのスタッフでも作業が可能である。したがって、簡便かつ安価に発電効率を高めることができる。
【図面の簡単な説明】
【００１２】
【図１】実施の形態に係る太陽光パネル設置用架台の概略的斜視図である。
【図２】実施の形態に係る回転軸管に縦材を取り付けた状態を示す斜視図（Ａ）と、回転軸管に縦材を取り付ける基準位置を説明するための模式図（Ｂ）である。
【図３】実施の形態に係る支柱の正面図（Ａ）と、側面図（Ｂ）である。
【図４】実施の形態に係る回転軸受を構成する軸受金具の平面図（Ａ）と、正面図（Ｂ）と、２個の軸受金具を組み合わせた正面図（Ｃ）である。
【図５】実施の形態に係る支柱の上端部に、回転軸受の一の軸受金具を熔接した状態を示す正面図（Ａ）と、側面図（Ｂ）である。
【図６】実施の形態に係る支柱と回転軸管が回転軸受を介して連結されている状態を示す、正面図（Ａ）と、側面図（Ｂ）と、支柱に２本の回転軸管を連結した状態を示す側面図（Ｃ）である。
【図７】実施の形態に係る回転軸管の貫通孔の中心線と回転軸受に設けられた貫通孔の中心線とが同一線上に並んだ状態を説明する部分断面図である。
【図８】実施の形態に係る回転軸受の貫通孔と回転軸管の端部の貫通孔に角度調整ピンを差し込んだ状態を説明する側面図（Ａ）と、（Ａ）のＸ−Ｘ断面図（Ｂ）である。
【図９】実施の形態に係る太陽光パネルを６０度の傾斜角度で設置する場合の模式図（Ａ）と、基準位置にある回転軸管の正面図（Ｂ）と、角度調整ピンを差し込む位置を説明する図（Ｃ）である。
【図１０】実施の形態に係る太陽光パネルを３０度の傾斜角度で設置する場合の模式図（Ａ）と、基準位置にある回転軸管の正面図（Ｂ）と、角度調整ピンを差し込む位置を説明する図（Ｃ）である。
【考案を実施するための形態】
【００１３】
図面を参照しながら、本考案の一実施形態の太陽光パネル設置用架台（以下、「架台」ともいう）１について説明する。
【００１４】
太陽光パネル設置用架台１は、図１に示すように、太陽光パネル２が裏面側からフレーム材によって支持されている。フレーム材は複数本の縦材３から構成される。各縦材３は下側から１本の回転軸管４によって支持される。この回転軸管４は少なくても両端部において支柱５によって支持される。また、回転軸管４と各支柱５とは回転軸受６によって連結される。本考案の架台は、回転軸受６があることによって、太陽光パネル２の傾斜角度を設置後であっても手動で変更できる点に特徴がある。この傾斜角度の変更については、後に詳しく説明する。
【００１５】
太陽光パネル２を裏面から支えるフレーム材の各縦材３は、図２（Ａ）に示すように、金属製の角材やＨ形鋼を用い、その長さは、太陽光パネル２の縦の長さにほぼ等しい。なお、太陽光パネル２は１以上の太陽光モジュールから構成される。
太陽光パネル２を裏面から支える各縦材３はそれぞれの長手方向の中央部において、回転軸管４の所定の箇所とボルト７で固定される。図２の（Ｂ）に示すように回転軸管４の複数個のボルト孔４１はある特定の側線Ｌ１上に配置される。これにより、回転軸管４に固定されたすべての縦材３は同一平面上に配置されることになる。また、図２（Ａ）示すようにＵ字ボルトなどの締結具８によって縦材３は回転軸管４に確実に固定される。また、回転軸管４は縦材３の中央すなわち重心近傍で支えられているので、太陽光パネルの傾斜角度を変更する時の作業負担が軽くなる。
なお、回転軸管４の長手方向と直交する任意の断面の中心Ｏと直線Ｌ１との交点Ｐとを結ぶ線分を基準線、この点Ｐを基準点と呼ぶことにする。
【００１６】
回転軸管４は、図１に示すように、縦材３に対して直交方向から支持する金属製の丸パイプである。この回転軸管４は、２本以上の支柱５の上端部に掛け渡される。回転軸管４と支柱５とを連結するのは回転軸受６である。回転軸管４の両端部、つまり回転軸受６を介して支柱５と連結する箇所には、回転軸管４を短手方向に貫く貫通孔４２、４３が設けられている（図７参照）。
【００１７】
支柱５は、強度およびコストの面からＨ形鋼を利用するとよい。図３の（Ａ）には支柱５の正面図を、（Ｂ）には側面図を示す。
支柱５の脚部５１は、地面に設けられたコンクリート製土台９の上面に固着されるベースプレート５１Ａと４つのリブ５１Ｂとを備える。支柱５は、この脚部５１から鉛直方向に立設する柱部５２を有し、柱部５２の上端部５３には、後で説明するように回転軸受６が取り付けられる。
支柱５は回転軸管４を支えるものであり、回転軸管４が裏面から支える縦材３および太陽光パネル２の大きさや重量を考慮して支柱５の本数を決定する。また、安定性を向上させるために支柱５のほかに図１に示すような補助支柱１０を適宜設ける。
【００１８】
次に、回転軸受６について図４（Ａ）の平面図、（Ｂ）の正面図を参照しながら説明する。
回転軸受６は、長手方向に向かい合わせに接合すると円筒状になる同形の２個の軸受金具６Ａ，６Ｂからなる。各軸受金具６Ａ，６Ｂは、回転軸管４を支持するために断面が半円状の金具本体６１と、本体６１の両サイドの各端部に計４つある舌片部６２からなる。各軸受金具６Ａ，６Ｂは図４の（Ｂ）に示すように正面視が概Ω状である。
金具本体６１には、２個の貫通線Ｌ２とＬ３があり、回転軸受６の長手方向の中心線（図示せず）と１点で交わる。貫通線Ｌ２が軸受金具６Ａ及び軸受金具６Ｂを貫く２個の貫通孔に符号６４を付す。貫通線Ｌ３が軸受金具６Ａ及び軸受金具６Ｂを貫く２個の貫通孔に符号６５を付す。貫通線Ｌ２とＬ３とは予め設定した角度をなす。この角度は、本実施形態では６０度である。
【００１９】
回転軸受６は、図４の（Ｃ）に示すように軸受金具６Ａと６Ｂをそれぞれの４箇所の舌片部６２で当接させ、内部に回転軸管４の端部を収容する円筒を形成したものである。軸受金具６Ａと６Ｂの貫通孔６４同士の中心線は一致する（貫通線Ｌ２）。そのため、軸受金具６Ｂの外側から貫通孔６４に角度調整ピンを差し込むと、軸受金具６Ａの貫通孔６４の外部に突き出る。貫通孔６５についても同様である。
【００２０】
図５の（Ａ）に示すように、軸受金具６Ａは正面視が逆Ω状に支柱５の上端部５３に熔接で固着されている。図５の（Ｂ）は、軸受金具６Ａが固着されている状態を示す側面図である。
軸受金具６Ａを固着するため、支柱５の上端部５３には、断面が半円状の軸受金具６Ａをはめ込むことができるように概半円状の凹部５３Ａが形成されている。この軸受金具６Ａは、丸パイプ状の回転軸管４の端部を載置するので、回転軸管４端部の下半分が嵌まり込むことができるように、凹部５３Ａの内径は回転軸管４の外径よりも若干大きくする。
【００２１】
軸受金具６Ａに回転軸管４が載置され、この回転軸管４の上から軸受金具６Ｂを被せる。これにより、回転軸受６の円筒状の内部に回転軸管４の端部が収容されたことになる。図６の（Ａ）は、この状態の正面図を示したものである。
回転軸受６の内部に回転軸管４の端部が収容された状態で、上下に重なり合った各舌片部６２のネジ孔６３をネジ６６で止めることにより、上側の軸受金具６Ｂと下側の軸受金具６Ａとが確実に接合する。
図６の（Ｂ）に示すように回転軸受６によって、１本の回転軸管４の端部を支持することもあるが、図６の（Ｃ）に示すように、１本の支柱５が２本の回転軸管４の端部を支持することもある。
【００２２】
回転軸受６の内部に回転軸管４の端部を収容したならば、次のように回転軸管４を固定する。
図７に示すように、回転軸管４の端部に設けた貫通孔（４２あるいは４３）と、回転軸受６に設けた貫通孔（６４あるいは６５）が同一直線状に配置されるように回転軸管４の位置を調整する。この調整は、回転軸管４の両端部をそれぞれ回転軸受６の円筒状の内部に収容した状態で適当な角度だけ回転することにより行う。一直線上に並んだ貫通孔によって角度調整ピン貫通部を形成する。図７の例では、軸受金具６Ｂの貫通孔６５、回転軸管４を突き抜ける２箇所の貫通孔４２、軸受金具６Ａの貫通孔６５から角度調整ピン貫通部が形成される。１点鎖線Ｌ４は、角度調整ピン貫通部の中心線を表している。角度調整ピン貫通部に角度調整ピン１１を差し込むことで回転軸管４が支柱５に固定される。図８の（Ａ）は、角度調整ピン１１を差し込んだ状態の側面図、（Ｂ）は（Ａ）のＸ−Ｘ断面図である。
【００２３】
以下、太陽光パネル設置の手順について説明する。
まず、支柱５の脚部５１を地表上のコンクリート製基礎９にアンカーで固着する（図１参照）。これにより、支柱５の柱部５２は地面に垂直に立設する。
２本の支柱５の各上端部５３に取り付けられている回転軸受６の軸受金具６Ａの凹部に回転軸管４の端部を載置し、軸受金具６Ｂで回転軸管４の端部を覆い、軸受金具６Ａ、６Ｂの対応する舌片部６２をネジ止めする。太陽光パネル２の傾斜角度を考慮して、回転軸管４の端部に設けられた貫通孔４２（あるいは４３）と回転軸受６に設けられた貫通孔６４（あるいは６５）を同一線上に配置してピン止めする。
【００２４】
ここでは、太陽光パネル２を水平面に対して６０度の傾斜角度で設置する場合について、図９に従い説明する。図９の（Ａ）において符号Ｐを付したのは回転軸管４の固定ボルト７の取付箇所（基準点Ｐ）である（図２の（Ｂ）を参照）。太陽光パネルを６０度の傾斜角度で設置するには、図９の（Ｂ）で示されている回転軸管４の点Ｐと中心Ｏとを結ぶ線が、水平の状態から３０度になるように回転させればよい（図９（Ｃ））。
回転軸受６の貫通孔６４と回転軸管４の端部に設けた貫通孔４２とが１直線上に並び角度調整ビン貫通部（中心線を一点鎖線Ｌ５で表している）を形成するので、これに角度調整ピン１１を差し込む。これにより、図９（Ａ）のように太陽光パネルを６０度の傾斜角度で取り付けることができる。
【００２５】
このように、所望の角度に回転させた回転軸管４を回転軸受６を介して支柱５に固定させ、図２に示すように回転軸管４に複数本の縦材３をボルト７、８で固定し、太陽光パネル２を複数の縦材３からなるフレーム材の上側に取り付ける。
以上で太陽光パネル２を設置する作業が完了した。
【００２６】
ところで、上記の設置をした頃と比べ、太陽の高度が変化したときは、発電効率を高めるために太陽光パネルの傾斜を変更したい。ここでは、傾斜角度が６０度の状態から３０度に変更する場合について説明する。
図１０の（Ａ）のように、太陽光パネルの傾斜角度を水平面に対して３０度の傾斜角度で設置する場合、図１０の（Ｂ）に示すような回転軸管４の点Ｐと中心Ｏとが水平の状態から回転軸管４を図１０（Ｃ）に示すように時計方向に６０度回転させる。回転軸受６の貫通孔６５と回転軸管４の端部に設けた貫通孔４３とが１直線上に並び角度調整ビン貫通部（中心線を一点鎖線Ｌ６で表している）を形成するので、これに角度調整ピン１１を差し込む。これにより、図１０（Ａ）のように太陽光パネルを３０度傾斜させることができる。
【００２７】
回転軸管４を図１０（Ｃ）のように回転させるためには、図９（Ｃ）の角度調整ピン貫通部（中心線が一点鎖線Ｌ５）に差し込まれている角度調整ピン１１をいったん取外し、回転軸受６の円筒状の内部に回転軸管４の端部を収容した状態のままで図９（Ｃ）の状態から時計回りに３０度回転する。回転軸管４の端部の貫通孔と回転軸受６の貫通孔とが一直線上に並び角度調整ピン貫通部（中心線が一点鎖線Ｌ６）が形成されたならば、この角度調整ピン貫通部に角度調整ピン１１を付け直す。このとき回転軸管４にボルト７，８で固定されている縦材３は取外す必要はなく、回転軸管４を所望の角度だけ回転させて角度調整ピン１１を付け直すだけで太陽光パネル２の傾斜角度を変更することができる。
このように、回転軸管４に固定されている縦材３および太陽光パネル２を取り付けたまま、手動で角度調整ピン１１の差し込み箇所を変更するだけなので、特別な機材は不要であり、作業が迅速に行える。
【００２８】
上記の実施形態は例示に過ぎない。
例えば、上記の実施形態では、太陽光パネル２を裏側から支持するフレーム材は複数本の縦材３から構成されていたが、２本以上の縦材と２本以上の横材を組み合わせた梁枠状のフレーム材で太陽光パネル２を支持してもよい。
上記の実施形態では、太陽光パネルの傾斜角度を３０度と６０度の２種類として説明したが、これに限らない。また、回転軸管４の端部には、中心線が互いに直交する貫通孔４２と貫通孔４３があった（図９と図１０を参照）が、貫通孔の個数は２個に限らない。同様に、回転軸受６についても、貫通孔の個数は３個以上でもよい。角度の異なる貫通孔を設けることにより、細かな角度調整が可能になるからである。
【産業上の利用可能性】
【００２９】
太陽光パネルを地表や平坦なビル屋上などの屋外に設置する際に、季節の変化にあわせて太陽光パネルの傾斜角度を簡便・迅速に変更可能とする太陽光パネル設置用架台として多大な需要が期待できる。
【符号の説明】
【００３０】
１  太陽光パネル設置用架台
２  太陽光パネル
３  （フレーム材を構成する）縦材
４  回転軸管
４１  （縦材を固定するための）ボルト孔
４２，４３  （両端部に設けられた）貫通孔
５  支柱
５１  脚部
５２  柱部
５３  上端部
６  回転軸受
６Ａ，６Ｂ  軸受金具
６１  軸受金具本体
６２  舌片部
６３  ネジ孔
６４、６５  貫通孔
７，８  ボルト
１１  角度調整ピン
【図１】
0003190421.tif 000003
【図２】
0003190421.tif 000004
【図３】
0003190421.tif 000005
【図４】
0003190421.tif 000006
【図５】
0003190421.tif 000007
【図６】
0003190421.tif 000008
【図７】
0003190421.tif 000009
【図８】
0003190421.tif 000010
【図９】
0003190421.tif 000011
【図１０】
0003190421.tif 000012